(57)【要約】【課題】簡易構造の前蓋開放保持手段と閉塞保持手段とを備える収納用ケースを提供すること。【解決手段】前蓋部３Ｂを箱形ケース体２の前面開口部１Ｂを開放した状態に係止保持する前蓋開放保持手段４を設け、前蓋開放保持手段４は、前蓋部３Ｂの枢着側端部に開放用係止凸部５を一体成形し、開放用係止凸部５が乗り越え係止する開放用係合凸部６を上蓋部３Ａの枢着側端部に一体成形し、前蓋部３Ｂをこの前蓋部３Ｂが箱形ケース体２の前面開口部１Ｂを閉塞した状態に係止保持する前蓋閉塞保持手段７を設け、前蓋閉塞保持手段７は、前蓋部３Ｂの先端部に閉塞用係止凸部８を一体成形し、閉塞用係止凸部８が乗り越え係止する閉塞用係合凸部９を箱形ケース体２の前面開口部１Ｂの近傍に一体成形する。【選択図】図４
2014094761.tif 000002
【特許請求の範囲】
【請求項１】
開口部を有する合成樹脂製の箱形ケース体と、この箱形ケース体の開口部を開閉自在に閉塞する合成樹脂製の蓋体とから成り、前記箱形ケース体は、その上面部と前面部とに前記開口部としての上面開口部と前面開口部とを連設状態に設け、前記蓋体は、前記上面開口部を閉塞する合成樹脂製の上蓋部と前記前面開口部を閉塞する合成樹脂製の前蓋部とを有すると共に、この上蓋部と前蓋部とを互いに起伏回動自在に枢着連結した構成として、この蓋体の上蓋部が前記箱形ケース体の上面開口部を閉塞した状態で、この上蓋部に対し前記前蓋部を起動回動させて前記前面開口部を開放可能とした収納用ケースにおいて、前記蓋体の前蓋部を、前記箱形ケース体の上面開口部を閉塞している前記上蓋部に対し起動回動して前記前面開口部を開放した状態に係止保持する係脱自在な前蓋開放保持手段を設け、この前蓋開放保持手段は、前記前蓋部の基端部である枢着側端部に開放用係止凸部を一体成形し、この前蓋部を前記上蓋部に対し起動回動させて前記前面開口部を開放した際に前記開放用係止凸部が係脱自在に乗り越え係止する開放用係合凸部を、前記上蓋部の枢着側端部に一体成形した構成とし、前記蓋体の前蓋部を、この前蓋部が前記箱形ケース体の前面開口部を閉塞した状態に係止保持する係脱自在な前蓋閉塞保持手段を設け、この前蓋閉塞保持手段は、前記前蓋部の先端部に閉塞用係止凸部を一体成形し、この前蓋部を前記上蓋部に対し伏動回動させて前記前面開口部を閉塞した際に前記閉塞用係止凸部が係脱自在に乗り越え係止する閉塞用係合凸部を、前記箱形ケース体の前面開口部の開口縁部若しくは開口縁部の近傍に一体成形した構成としたことを特徴とする収納用ケース。
【請求項２】
前記前蓋開放保持手段は、前記開放用係止凸部を長さのある形状であって突出先端部を外方に向かって凸湾曲する湾曲面状に形成すると共に、前記開放用係合凸部を長さのある形状であって突出先端部を外方に向かって凸湾曲する湾曲面状に形成して、長さのある凸湾曲面状の開放用係止凸部の突出先端部が、長さのある凸湾曲面状の開放用係合凸部の突出先端部に圧接しながら乗り越えて伏動止め係止する構成とし、前記前蓋閉塞保持手段は、前記閉塞用係止凸部を長さのある形状であって突出先端部を外方に向かって凸湾曲する湾曲面状に形成すると共に、前記閉塞用係合凸部を長さのある形状であって突出先端部を外方に向かって凸湾曲する湾曲面状に形成して、長さのある凸湾曲面状の閉塞用係止凸部の突出先端部が、長さのある凸湾曲面状の閉塞用係合凸部の突出先端部に圧接しながら乗り越えて起動止め係止する構成としたことを特徴とする請求項１記載の収納用ケース。
【請求項３】
前記蓋体は、前記上蓋部の枢着側端部に軸受部若しくは軸部を間隔を置いて複数並設状態に設け、この軸受部に軸支させる軸部若しくはこの軸部を軸支する軸受部を、前記前蓋部の枢着側端部に間隔を置いて複数並設状態に設けて、この複数の軸受部に複数の軸部を軸支させることで前記上蓋部と前記前蓋部とを互いに起伏回動自在に枢着連結した構成とし、前記前蓋開放保持手段は、前記上蓋部の複数の前記軸受部間の上蓋側非枢着部若しくは複数の前記軸部間の上蓋側非枢着部に前記開放用係合凸部を一体成形すると共に、前記前蓋部の複数の前記軸部間の前蓋側非枢着部若しくは複数の前記軸受部間の前蓋側非枢着部に前記開放用係止凸部を一体成形した構成としたことを特徴とする請求項１，２のいずれか１項に記載の収納用ケース。
【請求項４】
前記前蓋開放保持手段は、前記前蓋部を、水平より上方の起動回動位置で係止保持するように、少なくとも前記前蓋部に一体成形する前記開放用係止凸部の成形位置を設定構成したことを特徴とする請求項１〜３のいずれか１項に記載の収納用ケース。
【請求項５】
前記箱形ケース体の前面部に、少なくともこの前面部の中ほどより上方側が開口する形状にして後傾状態に開口する形状の前記前面開口部を設け、前記蓋体の前記上蓋部に、前記箱形ケース体を積み上げ載置可能な載置部を設け、前記前蓋開放保持手段は、前記前蓋部を、上蓋部の前記載置部に載置した箱形ケース体の前面開口部の前方を塞がない起動回動位置で係止保持するように、少なくとも前記前蓋部に一体成形する前記開放用係止凸部の成形位置を設定構成したことを特徴とする請求項１〜４のいずれか１項に記載の収納用ケース。
【請求項６】
前記前蓋閉塞保持手段は、前記蓋体の前蓋部の先端部の内側に前記閉塞用係止凸部を一体成形し、前記箱形ケース体の前面開口部の下側開口縁部の下部に前記閉塞用係合凸部を一体成形した構成としたことを特徴とする請求項１〜５のいずれか１項に記載の収納用ケース。
【発明の詳細な説明】
【技術分野】
【０００１】
本発明は、例えば衣類，雑貨，小物などを収納する合成樹脂製の収納用ケースに関するものである。
【背景技術】
【０００２】
この種収納用ケースとして、実用新案登録第３１７５４６２号（特許文献１）がある。
【０００３】
この特許文献１を簡単に説明すると、上面開口部と前面開口部とを有する合成樹脂製の箱形ケース体と、前記上面開口部を閉塞する合成樹脂製の上蓋部と前記前面開口部を閉塞する合成樹脂製の前蓋部とが互いに起伏回動自在に枢着連結された構成の蓋体とから成るもので、蓋体を取り外すことで前記上面開口部と前記前面開口部とを同時に開放させて収納物を出し入れできるだけでなく、閉塞状態の前記上蓋部に対し前記前蓋部を起動回動させて前面開口部だけを開放させるような使い方もできるように構成されている。
【０００４】
また、この特許文献１は、上蓋部の枢着側端部に断面Ｃ状の軸受部が一体成形されると共に、前蓋部の枢着側端部に軸部が一体成形されていて、この軸受部に軸部を軸支することによって上蓋部と前蓋部とが起伏回動自在に枢着連結される構成であり、更に軸受部の内面に係止凸部が一体成形されると共に、軸部の外面に係合凹部が一体成形されていて、係止凸部が係合凹部に係合することにより前蓋部が前面開口部を開放した起動状態に保持される（前面開口部の開放状態が保持される）ように構成されている。
【先行技術文献】
【特許文献】
【０００５】
【特許文献１】実用新案登録第３１７５４６２号公報
【発明の概要】
【発明が解決しようとする課題】
【０００６】
上記特許文献１は、蓋体の枢着部に係止凸部と係合凹部の凹凸係止による前蓋部の開放保持機能が設けられているため、枢着部や係止凸部と係合凹部との寸法に成形精度が出ていないと、係止凸部と係合凹部とが凹凸係止できずに前蓋部の開放保持機能が上手く機能しないことが懸念される。
【０００７】
本発明は、上記特許文献１のような前面開口部を有してこの前面開口部の前蓋部だけを単独で開放可能な合成樹脂製の収納用ケースの改良に係るもので、成形に多少バラつきがあったり部材に多少の歪みがあったとしても、前蓋部の開放保持が確実に行われる前蓋開放保持手段を備え、更に同等の閉塞保持手段によって前蓋部の閉塞状態も良好に保持されることになる実用性に優れた構成の収納用ケースを提供するものである。
【課題を解決するための手段】
【０００８】
添付図面を参照して本発明の要旨を説明する。
【０００９】
開口部１を有する合成樹脂製の箱形ケース体２と、この箱形ケース体２の開口部１を開閉自在に閉塞する合成樹脂製の蓋体３とから成り、前記箱形ケース体２は、その上面部と前面部とに前記開口部１としての上面開口部１Ａと前面開口部１Ｂとを連設状態に設け、前記蓋体３は、前記上面開口部１Ａを閉塞する合成樹脂製の上蓋部３Ａと前記前面開口部１Ｂを閉塞する合成樹脂製の前蓋部３Ｂとを有すると共に、この上蓋部３Ａと前蓋部３Ｂとを互いに起伏回動自在に枢着連結した構成として、この蓋体３の上蓋部３Ａが前記箱形ケース体２の上面開口部１Ａを閉塞した状態で、この上蓋部３Ａに対し前記前蓋部３Ｂを起動回動させて前記前面開口部１Ｂを開放可能とした収納用ケースにおいて、前記蓋体３の前蓋部３Ｂを、前記箱形ケース体２の上面開口部１Ａを閉塞している前記上蓋部３Ａに対し起動回動して前記前面開口部１Ｂを開放した状態に係止保持する係脱自在な前蓋開放保持手段４を設け、この前蓋開放保持手段４は、前記前蓋部３Ｂの基端部である枢着側端部に開放用係止凸部５を一体成形し、この前蓋部３Ｂを前記上蓋部３Ａに対し起動回動させて前記前面開口部１Ｂを開放した際に前記開放用係止凸部５が係脱自在に乗り越え係止する開放用係合凸部６を、前記上蓋部３Ａの枢着側端部に一体成形した構成とし、前記蓋体３の前蓋部３Ｂを、この前蓋部３Ｂが前記箱形ケース体２の前面開口部１Ｂを閉塞した状態に係止保持する係脱自在な前蓋閉塞保持手段７を設け、この前蓋閉塞保持手段７は、前記前蓋部３Ｂの先端部に閉塞用係止凸部８を一体成形し、この前蓋部３Ｂを前記上蓋部３Ａに対し伏動回動させて前記前面開口部１Ｂを閉塞した際に前記閉塞用係止凸部８が係脱自在に乗り越え係止する閉塞用係合凸部９を、前記箱形ケース体２の前面開口部１Ｂの開口縁部若しくは開口縁部の近傍に一体成形した構成としたことを特徴とする収納用ケースに係るものである。
【００１０】
また、前記前蓋開放保持手段４は、前記開放用係止凸部５を長さのある形状であって突出先端部を外方に向かって凸湾曲する湾曲面状に形成すると共に、前記開放用係合凸部６を長さのある形状であって突出先端部を外方に向かって凸湾曲する湾曲面状に形成して、長さのある凸湾曲面状の開放用係止凸部５の突出先端部が、長さのある凸湾曲面状の開放用係合凸部６の突出先端部に圧接しながら乗り越えて伏動止め係止する構成とし、前記前蓋閉塞保持手段７は、前記閉塞用係止凸部８を長さのある形状であって突出先端部を外方に向かって凸湾曲する湾曲面状に形成すると共に、前記閉塞用係合凸部９を長さのある形状であって突出先端部を外方に向かって凸湾曲する湾曲面状に形成して、長さのある凸湾曲面状の閉塞用係止凸部８の突出先端部が、長さのある凸湾曲面状の閉塞用係合凸部９の突出先端部に圧接しながら乗り越えて起動止め係止する構成としたことを特徴とする請求項１記載の収納用ケースに係るものである。
【００１１】
また、前記蓋体３は、前記上蓋部３Ａの枢着側端部に軸受部10若しくは軸部11を間隔を置いて複数並設状態に設け、この軸受部10に軸支させる軸部11若しくはこの軸部11を軸支する軸受部10を、前記前蓋部３Ｂの枢着側端部に間隔を置いて複数並設状態に設けて、この複数の軸受部10に複数の軸部11を軸支させることで前記上蓋部３Ａと前記前蓋部３Ｂとを互いに起伏回動自在に枢着連結した構成とし、前記前蓋開放保持手段４は、前記上蓋部３Ａの複数の前記軸受部10間の上蓋側非枢着部12若しくは複数の前記軸部11間の上蓋側非枢着部12に前記開放用係合凸部６を一体成形すると共に、前記前蓋部３Ｂの複数の前記軸部11間の前蓋側非枢着部13若しくは複数の前記軸受部10間の前蓋側非枢着部13に前記開放用係止凸部５を一体成形した構成としたことを特徴とする請求項１，２のいずれか１項に記載の収納用ケースに係るものである。
【００１２】
また、前記前蓋開放保持手段４は、前記前蓋部３Ｂを、水平より上方の起動回動位置で係止保持するように、少なくとも前記前蓋部３Ｂに一体成形する前記開放用係止凸部５の成形位置を設定構成したことを特徴とする請求項１〜３のいずれか１項に記載の収納用ケースに係るものである。
【００１３】
また、前記箱形ケース体２の前面部に、少なくともこの前面部の中ほどより上方側が開口する形状にして後傾状態に開口する形状の前記前面開口部１Ｂを設け、前記蓋体３の前記上蓋部３Ａに、前記箱形ケース体２を積み上げ載置可能な載置部14を設け、前記前蓋開放保持手段４は、前記前蓋部３Ｂを、上蓋部３Ａの前記載置部14に載置した箱形ケース体２の前面開口部１Ｂの前方を塞がない起動回動位置で係止保持するように、少なくとも前記前蓋部３Ｂに一体成形する前記開放用係止凸部５の成形位置を設定構成したことを特徴とする請求項１〜４のいずれか１項に記載の収納用ケースに係るものである。
【００１４】
また、前記前蓋閉塞保持手段７は、前記蓋体３の前蓋部３Ｂの先端部の内側に前記閉塞用係止凸部８を一体成形し、前記箱形ケース体２の前面開口部１Ｂの下側開口縁部の下部に前記閉塞用係合凸部９を一体成形した構成としたことを特徴とする請求項１〜５のいずれか１項に記載の収納用ケースに係るものである。
【発明の効果】
【００１５】
本発明は上述のように構成したから、蓋体を取り外すことで箱形ケース体の上面開口部と前面開口部とを全開放できると共に、前蓋部を上蓋部に対し起動回動させて箱形ケース体の前面開口部だけを部分的に開放させるような使い方もできる便利な収納用ケースとなり、しかも、前蓋部を前蓋開放保持手段により前面開口部を開放した状態に係止保持できると共に、この前蓋開放保持手段は、開放用係止凸部が開放用係合凸部に乗り越え係止することで前蓋部を開放保持する構成としたため、凹凸係止構造と違って開放用係止凸部と開放用係合凸部とは、夫々の寸法に多少バラつきがあってもまた上蓋部や前蓋部の多少の歪み等に左右されることなく確実に係止でき、この開放保持手段を有する上蓋部と前蓋部とを容易に型成形可能となり、その上、本発明は、前蓋部を前蓋閉塞保持手段により前面開放部を閉塞した状態に係止保持できると共に、この前蓋閉塞保持手段も、閉塞用係止凸部が閉塞用係合凸部に乗り越え係止することで前蓋部を閉塞保持する構成としたため、閉塞用係止凸部と閉塞用係合凸部とは、夫々の寸法に多少バラつきがあってもまた前蓋部や箱形ケース体の多少の歪み等に左右されることなく確実に係止でき、この閉塞保持手段を有する前蓋部と箱形ケース体とを容易に型成形可能となるなど、極めて実用性・量産性に優れた収納用ケースとなる。
【００１６】
また、請求項２記載の発明においては、長さのある凸部同士の係止によって前蓋部の開放保持状態と閉塞保持状態とが一層安定的に係止保持されることになり、しかも開放用係止凸部若しくは閉塞用係止凸部が開放用係合凸部若しくは閉塞用係合凸部に対してスムーズに乗り越え係止・乗り越え係脱することになる一層操作性に優れた前蓋開放保持手段と前蓋閉塞保持手段とを容易に設計実現可能となる極めて実用性に優れた構成の収納用ケースとなる。
【００１７】
また、請求項３記載の発明においては、複数の凸部同士の係止によって前蓋部の開放保持状態が一層安定的に係止保持されると共に、上蓋部と前蓋部の枢着部でない箇所に前蓋開放保持手段を設けたから、上蓋部と前蓋部との起伏回動に何ら支障がなく、上蓋部に対し前蓋部がスムーズに起伏回動する構成を簡易に設計実現可能となるなど、一層実用性に優れた構成の収納用ケースとなる。
【００１８】
また、請求項４記載の発明においては、箱形ケース体の前面開放部を確実に広く開口させて収納物の出し入れを容易に行うことができる一層実用性に優れた構成の収納用ケースとなる。
【００１９】
また、請求項５記載の発明においては、上下多段に積み上げて大容量のシステム収納として使用できると共に、この多段積み上げ状態においても、各段の前面開口部の妨げとならずに前蓋部を開放状態に保持できる一層実用性に優れた構成の収納用ケースとなる。
【００２０】
また、請求項６記載の発明においては、前記作用・効果を確実に発揮する前蓋閉塞保持手段を簡易構成により容易に設計実現可能となる一層実用性に優れた構成の収納用ケースとなる。
【図面の簡単な説明】
【００２１】
【図１】本実施例を示す斜視図である。
【図２】本実施例を示す箱形ケース体から蓋体を分離した状態の斜視図である。
【図３】本実施例を示す側断面図である。
【図４】本実施例を示す前蓋部を起動回動して前面開口部を開放した状態の斜視図である。
【図５】本実施例の上蓋部と前蓋部の枢着構造を示す説明分解斜視図である。
【図６】本実施例の上蓋部と前蓋部の枢着構造を示す説明部分拡大側断面図である。
【図７】本実施例の上蓋部と箱形ケース体との閉塞保持構造を示す部分拡大側断面図である。
【図８】本実施例の前蓋開放保持手段を示す作動説明図である。
【図９】本実施例の前蓋閉塞保持手段を示す作動説明図である。
【図１０】本実施例をスタッキングした使用状態を示す正面図である。
【図１１】本実施例をスタッキングした使用状態において、下段の収納用ケースの前蓋部を起動回動して前面開口部を開放した様子を示す下段の収納用ケースを切り欠いた説明側面図である。
【図１２】蓋体を取り外して本実施例をネスティングした状態を示す下側の収納用ケースを切り欠いた説明側面図である。
【図１３】本実施例のネスティング構造を示す部分拡大説明図である。
【図１４】ハーフサイズの本実施例を組み合わせたスタッキング使用状態の一例を示す斜視図である。
【発明を実施するための形態】
【００２２】
好適と考える本発明の実施形態を、図面に基づいて本発明の作用を示して簡単に説明する。
【００２３】
本発明は、箱形ケース体２から蓋体３を取り外すことにより、箱形ケース体２の上面開口部１Ａと前面開口部１Ｂとを全開放させて箱形ケース体２に対し収納物を出し入れ可能であるが、蓋体３の閉塞状態から、上蓋部３Ａが箱形ケース体２の上面開口部１Ａを閉塞した状態のまま前蓋部３Ｂを上蓋部３Ａに対し起動回動させて箱形ケース体２の前面開口部１Ｂだけを開放させることも可能である。
【００２４】
また、この際、前蓋部３Ｂは、前蓋開放保持手段４により上蓋部３Ａに対し起動回動して前記前面開口部１Ｂを開放した状態に係止保持されることになる。
【００２５】
具体的には、前蓋部３Ｂを前記上蓋部３Ａに対し起動回動させて前記前面開口部１Ｂを開放した際に、前蓋部３Ｂの枢着側端部に一体成形した開放用係止凸部５が上蓋部３Ａの枢着側端部に一体成形した開放用係合凸部６に係脱自在に乗り越え係止して、前蓋部３Ｂが前記前面開口部１Ｂを開放した状態に係止保持される。
【００２６】
従って、片手で前蓋部３Ｂを開放保持しつつもう一方の手で収納物を前面開口部１Ｂから出し入れするような手間はなく、ユーザーは前蓋部３を起動回動位置に保持した後、例えば両手を使うなどして前面開口部１Ｂから容易に収納物を出し入れすることが可能である。
【００２７】
また、本発明の前蓋開放保持手段４は、前記特許文献１のように係止凸部が係合凹部に係止する係止保持手段ではなく、凸部５・６同士の係止保持手段であるため、開放用係止凸部５と開放用係合凸部６との寸法に多少バラつきがあっても、また上蓋部３Ａや前蓋部３Ｂに多少の歪みがあっても確実に凸部５・６同士は係止でき、従って本発明の前蓋開放保持手段４を具備する上蓋部３Ａと前蓋部３Ｂとは、凸部５・６に寸法や部材の歪みまで考慮された成形精度を要せずに容易に型成形可能である。
【００２８】
前面開口部１Ｂからの収納物の出し入れが済んだら、開放保持手段４により起動回動位置に保持されている前蓋部３Ｂを上蓋部３Ａに対し伏動回動させると（開放用係止凸部５を開放用係合凸部６から係脱させて前蓋部３Ｂを伏動回動させると）、前蓋部３Ｂが前記前面開口部１Ｂを閉塞した際に、この前蓋部３Ｂが前蓋閉塞保持手段７により前面開口部１Ｂを閉塞した状態に係止保持されることになる。
【００２９】
具体的には、前蓋部３Ｂを前記上蓋部３Ａに対し伏動回動させて前記前面開口部１Ｂを閉塞した際に、前蓋部３Ｂの先端部に一体成形した閉塞用係止凸部８が箱形ケース体２の前面開口部１Ｂの開口縁部若しくは開口縁部の近傍に一体成形した閉塞用係合凸部９に係脱自在に乗り越え係止して、前蓋部３Ｂが前面開口部１Ｂを閉塞した状態に係止保持される。
【００３０】
また、この前蓋閉塞保持手段７も、前記前蓋開放保持手段４と同様に凸部８・９同士の係止保持手段であるため、この閉塞用係止凸部８と閉塞用係合凸部９との寸法に多少バラつきがあっても、また前蓋部３Ｂや箱形ケース体２に多少の歪みがあっても確実に凸部８・９同士は係止でき、従って本発明の前蓋閉塞保持手段７を具備する前蓋部３Ｂと箱形ケース体２とは、凸部８・９に寸法や部材の歪みまで考慮された成形精度を要せずに容易に型成形可能である。
【実施例】
【００３１】
本発明の具体的な実施例について図面に基づいて説明する。
【００３２】
本実施例は、開口部１を有する合成樹脂製の箱形ケース体２と、この箱形ケース体２の開口部１を開閉自在に閉塞する合成樹脂製の蓋体３とから成る収納用ケースに係るものである。
【００３３】
本実施例の箱形ケース体２は、図１〜図３に示すように、平面視で横長の略長方形状をなすと共に、上面部が水平に開口する（上面開口部１Ａを有する）箱形体に構成（樹脂成形により一体成形）し、底部四隅に移動用のコロ17を付設している。
【００３４】
また、この箱形ケース体２は、その前壁部を側面視でくの字状に前方へ突出する形状に成形すると共に、この前壁部の中ほどの最も前方へ突出している突出角部より上方側の後傾斜部位を開口形状に成形して、この後傾開口部分を前記上面開口部１Ａと連設状態にして開口する前面開口部１Ｂとしている。
【００３５】
即ち、本実施例の箱形ケース体２は、上面開口部１Ａと前面開口部１Ｂとから成る大口形の前記開口部１を有する構成としている。また、この大きく開口する開口部１の開口縁部の略全周には、水平外側に突出した後直角下方に垂下する断面Ｌ字状の補強縁部16を一体成形して保形強度を向上させている。
【００３６】
また、本実施例の前面開口部１Ｂは、前記したように後傾状態に開口する構成でありながら後傾斜度を小さく設定している。これにより、前記特許文献１で開示されている前面開口部が大きく後傾する形状のケース体よりも、箱形ケース体２の内部上部の収納空間部を大きく確保できている。
【００３７】
本実施例の蓋体３は、図１〜図３に示すように、前記箱形ケース体２の上面開口部１Ａを閉塞する合成樹脂製の上蓋部３Ａと、前記箱形ケース体２の前面開口部１Ｂを閉塞する合成樹脂製の前蓋部３Ｂとを有すると共に、この上蓋部３Ａと前蓋部３Ｂとを互いに起伏回動自在に枢着連結した構成としている。
【００３８】
具体的には、上蓋部３Ａは、箱形ケース体２の上面開口部１Ａを閉塞可能な平面視で横長の略長方形板状に構成（樹脂成形）し、前蓋部３Ｂは、箱形ケース体２の前面開口部１Ｂを閉塞可能な平面視で横長の略長方形板状であって、上蓋体３Ａより前後方向の長さが略１／２程度となる形状に構成（樹脂成形）している。
【００３９】
更に詳しくは、上蓋部３Ａと前蓋部３Ｂとは、全周縁部を上方へ突出する断面コ字状のリブ縁18に一体成形して保形強度を向上させていると共に、この上蓋部３Ａと前蓋部３Ｂのリブ縁18を前記箱形ケース体２の補強縁部16に被嵌合させて蓋体３で箱形ケース体２の開口部１を閉塞可能となる構成としている。
【００４０】
この上蓋部３Ａと前蓋部３Ｂの枢着構造は、上蓋部３Ａの一方の長手方向縁（前側端縁部）と前蓋部３Ｂの一方の長手方向縁（後側端縁部）とを枢着側端部として、この上蓋部３Ａの枢着側端部に軸受部10を一体成形し、前蓋部３Ｂの枢着側端部に前記軸受部10に軸支される軸部11を一体成形している。
【００４１】
更に詳しくは、図５に示すように、上蓋部３Ａの枢着側端部を凹凸が連続する凹凸縁形状に一体成形すると共に、この凹凸縁の凸縁部を側面視で下方が開放する断面Ｃ字状に一体成形して、このＣ字状の凸縁部を、前記軸部11を包持状態に軸支可能な前記軸受部10としている。即ち、上蓋部３Ａの枢着側端部に軸受部10を間隔を置いて複数並設状態に設けている。
【００４２】
一方、前蓋部３Ｂの枢着側端部は、前記上蓋部３Ａの凹凸縁と互い違いに凹凸が連続する凹凸縁形状に一体成形すると共に、この凹凸縁の凹縁部に両隣の凸縁部間に架け渡すようにして丸棒状の前記軸部11を一体成形している。即ち、前蓋部３Ｂの枢着側端部には、軸部11を間隔を置いて複数並設状態に設けている。
【００４３】
そして、この上蓋部３Ａの枢着側端部の凹凸縁と、前蓋部３Ｂの枢着側端部の凹凸縁とを凹凸嵌合させると共に、前蓋部３Ｂの軸部11を上蓋部３Ａの軸受部10に圧入係合することで軸支して、上蓋部３Ａと前蓋部３Ｂとを互いに起伏回動自在に枢着連結した構成としている（図６参照。）。尚、上蓋部３Ａに軸部11を設け、前蓋部３Ｂに軸受部10を設ける枢着構造としても良い。
【００４４】
即ち、蓋体３は、図４に示すように、この蓋体３の上蓋部３Ａが前記箱形ケース体２の上面開口部１Ａを閉塞した状態で、この上蓋部３Ａに対し前記前蓋部３Ｂを起動回動させて前記前面開口部１Ｂを開放可能な構成としている。
【００４５】
また、蓋体３の上蓋部３Ａは、箱形ケース体２の上面開口部１Ａに対して開閉自在に閉塞保持し得るように構成している。この開閉自在な閉塞保持構造は、上蓋部３Ａのリブ縁18の垂下端部の前側左右部と後側左右部との合計四箇所に、内側に向けて小突起22を突出状態に一体成形する一方、箱形ケース体２の前記補強縁部16の垂下端部の、前記上面開口部１Ａに対する前側左右部と後側左右部との合計四箇所に、前記小突起22が係止する係合切欠部23を一体成形して、補強縁部16とリブ縁18を弾性変形させて係合切欠部23に小突起22を圧入係止することにより、上蓋部３Ａを箱形ケース体２の上面開口部１Ａに安定的に係止して上蓋部３Ａを閉塞保持する構造とし、上蓋部３Ａを開放する（箱形ケース体２から取り外す）場合は、小突起22を係合切欠部23から係脱させることにより上蓋部３Ａを箱形ケース体２の上部開口部から取り外しできる構成としている（図７参照。）。
【００４６】
本実施例では、前記蓋体３の前蓋部３Ｂを、前記箱形ケース体２の上面開口部１Ａを閉塞している前記上蓋部３Ａに対し起動回動して前記前面開口部１Ｂを開放した状態に係止保持する係脱自在な前蓋開放保持手段４を設けている。
【００４７】
具体的には、前蓋開放保持手段４は、前記前蓋部３Ｂの基端部（後側端部）である枢着側端部に開放用係止凸部５を一体成形し、この前蓋部３Ｂを前記上蓋部３Ａに対し起動回動させて前記前面開口部１Ｂを開放した際に前記開放用係止凸部５が係脱自在に乗り越え係止する開放用係合凸部６を、前記上蓋部３Ａの枢着側端部（前側端部）に一体成形した構成としている。
【００４８】
更に詳しくは、前記前蓋開放保持手段４は、前記上蓋部３Ａの複数の前記軸受部10間の複数の凹縁部である上蓋側非枢着部12の端面に夫々前記開放用係合凸部６を一体成形すると共に、前記前蓋部３Ｂの複数の前記軸部11間の複数の凸縁部である前蓋側非枢着部13の端面に夫々前記開放用係止凸部５を一体成形した構成としている。
【００４９】
また、この開放用係止凸部５と開放用係合凸部６とは、上蓋部３Ａに対し前蓋部３Ｂを起伏回動した際に、互いに当接（衝突）し合う突出度に設定している。
【００５０】
また、この複数の開放用係止凸部５は、図５に示すように、細長い横長凸条形状であってその突出先端部が外方（後方）に向かって凸湾曲する湾曲面状（断面半円形状）に一体成形すると共に、複数の前記開放用係合凸部６も、細長い横長凸条形状であってその突出先端部が外方（前方）に向かって凸湾曲する湾曲面状（断面半円形状）に一体成形している。
【００５１】
この前蓋開放保持手段の作動を説明すると、前記前蓋部３Ｂを前記上蓋部３Ａに対し起動回動させることによって軸部11を軸受部10に対し回動させていくと、図８に示すように前蓋部３Ｂの前蓋側非枢着部13の開放用係止凸部５が下方へ回動移動してやがて上蓋部３Ａの上蓋側非枢着部12の開放用係合凸部６に上方から当接し、この当接による回動抵抗に抗してなおも前蓋部３Ｂを起動回動させると、上蓋部３Ａと前蓋部３Ｂの枢着側端部の弾性変形により長さのある凸湾曲面状の開放用係止凸部５の突出先端部が、長さのある凸湾曲面状の開放用係合凸部６の突出先端部に圧接しながら下方へ乗り越えて伏動止め係止し、この係止によって前蓋部３Ｂが上方へ起動回動した状態に保持されることになる構成としている。
【００５２】
開放保持されている前蓋部３Ｂを閉じたい場合は、前蓋部３Ｂを少し強く伏動回動させると、開放用係止凸部５が前記と逆方向（上方）に移動し、開放用係合凸部６を乗り越えて係脱することになる構成としている。
【００５３】
また、本実施例では、前記前蓋部３Ｂを、水平より上方の起動回動位置で係止保持するように、前記前蓋部３Ｂに一体成形する前記開放用係止凸部５の成形位置を設定構成している。
【００５４】
この本実施例の前蓋開放保持手段４は、前記特許文献１のように係止凸部が係合凹部に係止する係止保持手段ではなく、凸部５・６同士の係止保持手段であるため、開放用係止凸部５と開放用係合凸部６とが少なくとも互いに当接可能な突出度の凸部でありさえすれば、双方の寸法にバラつきがあっても、また上蓋部３Ａや前蓋部３Ｂに多少の歪みがあってもこの寸法のバラつきや歪みに左右されずに確実に凸部５・６同士は係止でき、従って本実施例の前蓋開放保持手段４を具備する上蓋部３Ａと前蓋部３Ｂとは、凸部５・６に詳細な寸法や部材の歪みまで考慮された成形精度を要せずに容易に型成形可能となる。
【００５５】
また、本実施例では、前記蓋体３の前蓋部３Ｂを、この前蓋部３Ｂが前記箱形ケース体２の前面開口部１Ｂを閉塞した状態に係止保持する係脱自在な前蓋閉塞保持手段７を設けている。
【００５６】
具体的には、この前蓋閉塞保持手段７は、前記前蓋部３Ｂの先端部（前側端部）に閉塞用係止凸部８を一体成形し、この前蓋部３Ｂを前記上蓋部３Ａに対し伏動回動させて前記前面開口部１Ｂを閉塞した際に前記閉塞用係止凸部８が係脱自在に乗り越え係止する閉塞用係合凸部９を、前記箱形ケース体２の前面開口部１Ｂの開口縁部若しくは開口縁部の近傍に一体成形した構成としている。
【００５７】
更に詳しくは、図３，図９に示すように、前蓋部３Ｂの前側の前記リブ縁18の先端垂下部15の内側中央部に、内方（前蓋部３Ｂの後側）へ向けて前記閉塞用係止凸部８を突出状態に一体成形すると共に、前記箱形ケース体２の前面開口部１Ｂの下側開口縁部に存する前記補強縁部16の下部中央部に、この補強縁部16の上面部を下方へ凹ませることで下面部を下方へ凸出させた凸部を一体成形して、この下方に突出する凸部を前記閉塞用係合凸部９としている。即ち、閉塞用係止凸部８は、前蓋部３Ｂの先端部の内側に設け、閉塞用係合凸部９は、前面開口部１Ｂの下側開口縁部の下部に設けている。
【００５８】
また、この閉塞用係止凸部８と閉塞用係合凸部９とは、上蓋部３Ａに対し前蓋部３Ｂを伏動回動した際に、互いに当接（衝突）し合う突出度に設定している。
【００５９】
また、図４，図９に示すように、この閉塞用係止凸部８は、細長い横長凸条形状であってその突出先端部が外方（蓋体３の内方）に向かって凸湾曲する湾曲面状（断面半円形状）に一体成形すると共に、前記閉塞用係合凸部９も、細長い横長凸条形状であってその突出先端部が外方（下方）に向かって凸湾曲する湾曲面状（断面半円形状）に一体成形している。
【００６０】
この前蓋閉塞保持手段７の作動を説明すると、前記前蓋部３Ｂを前記上蓋部３Ａに対し伏動回動させていくと、図９に示すように前蓋部３Ｂの先端部（前側端部）が下方へ回動移動してやがて閉塞用係止凸部８が補強縁部16の下部の前記閉塞用係合凸部９に前方から当接し、この当接による回動抵抗に抗してなおも前蓋部３Ｂを伏動回動させると、前蓋部３Ｂの先端部と補強縁部16の弾性変形により長さのある凸湾曲面状の閉塞用係止凸部８の突出先端部が、長さのある凸湾曲面状の閉塞用係合凸部９の突出先端部に圧接しながら後方へ乗り越えて起動止め係止し、この係止によって前蓋部３Ｂが前面開口部１Ｂを閉塞した状態に保持されることになる構成としている。
【００６１】
閉塞保持されている前蓋部３Ｂを開きたい場合は、前蓋部３Ｂを少し強く起動回動させると、閉塞用係止凸部８が前記と逆方向（後方）に移動し、閉塞用係合凸部９を乗り越えて係脱することになる構成としている。
【００６２】
この本実施例の前蓋閉塞保持手段７も、前記前蓋開放保持手段４と同様に凸部８・９同士の係止保持手段であるため、この閉塞用係止凸部８と閉塞用係合凸部９とが少なくとも互いに当接可能な突出度の凸部でありさえすれば、双方の寸法にバラつきがあってもまた前蓋部３Ｂや箱形ケース体２に多少の歪みがあってもこの寸法のバラつきや歪みに左右されずに確実に凸部８・９同士は係止でき、従って本実施例の前蓋閉塞保持手段７を具備する前蓋部３Ｂと箱形ケース体２とは、凸部８・９に詳細な寸法や部材の歪みまで考慮された成形精度を要せずに容易に型成形可能となる。
【００６３】
また、本実施例では、前記蓋体３の前記上蓋部３Ａに、前記箱形ケース体２を積み上げ載置可能な載置部14を設けて、図１０，図１１に示すように複数の収納用ケースをスタッキングさせてシステム収納のようにして使用することもできる構成としている。
【００６４】
具体的には、前記上蓋部３Ａのリブ縁18に囲まれた凹状部14を前記載置部14とし、箱形ケース体２は、この載置部14に載置可能な寸法に設定構成し、この載置部14に他の箱形ケース体２の底部を載置すると、積み上げた箱形ケース体２が載置部14周囲のリブ縁18によって横方向へ移動しにくく安定的に積み上げられる構成としている。
【００６５】
また、本実施例では、図１１に示すように、スタッキングした状態で下段の収納用ケースの前蓋部３Ｂを起動回動して前記前蓋開放保持手段４で前面開口部１Ｂを開放保持した際に、この下段の前蓋部３Ｂが、上段の収納用ケースの前面開口部１Ｂの前方に位置して前面開口部１Ｂを大きく塞いでしまうことのない起動回動位置で係止保持するように、前記前蓋開放保持手段４を設定構成している。尚、前蓋部３Ｂが上段の収納用ケースの前面開口部１Ｂを完全に塞がない構成が望ましいが、本実施例のように上段の収納用ケースの前面開口部１Ｂが少し塞がれてしまう構成でも良い（請求項５中の「前記前蓋開放保持手段は、前記前蓋部を、上蓋部の前記載置部に載置した箱形ケース体の前面開口部の前方を塞がない起動回動位置で係止保持する」なる記載は、下段の収納用ケースの前蓋部３Ｂが上段の収納用ケースの前面開口部１Ｂの前方を少し塞いでしまうような構成をも含む意味合いで用いている。）。
【００６６】
また、図１４は、横幅を１／２サイズとした本実施例の収納用ケースを併用してスタッキングした別使用状態を示しており、このような異なるサイズの収納用ケースをユニットとしてシステム収納を構築できるように構成しても良い。
【００６７】
また、本実施例では、前記箱形ケース体２は、図１２に示すように、輸送時などに前記蓋体３を取り外すことによって、前記上面開口部１Ａから箱形ケース体２内に他の箱形ケース体２を収納して積み重ね（ネスティング）可能となるように、箱形ケース体２の前壁部と後壁部と左右壁部とを傾斜壁に形成して下側ほど先細くなる形状に構成すると共に、この箱形ケース体２の上部に、この箱形ケース体２に収納して積み重ねた箱形ケース体２が係止することで上下に積み重ねた箱形ケース体２を鉛直方向に整列状態に積み重ね保持する積み重ね係止手段19を設けている。
【００６８】
具体的には、この積み重ね係止手段19は、図２，図１３に示すように，箱形ケース体２の前記補強縁部16の、前記上面開口部１Ｂに対する前側左右部と後側左右部との合計四箇所の上面部に係合凹所20を一体成形し、この係合凹所20の存する補強縁部16の下部の四箇所に、この係合凹所20に載置係止する係止突片21を一体成形して、この四箇所の係止突片21を四箇所の係合凹所20に夫々載置係止して複数の箱形ケース体２を積み重ねすると、箱形ケース体２の左右壁部が外側へ開くような変形を生じてしまうことなく、且つ図１２に示すように、鉛直方向へ整列状態で箱形ケース体２がネスティングされるように構成している。
【００６９】
尚、本発明は、本実施例に限られるものではなく、各構成要件の具体的構成は適宜設計し得るものである。
【符号の説明】
【００７０】
１  開口部
１Ａ  上面開口部
１Ｂ  前面開口部
２  箱形ケース体
３  蓋体
３Ａ  上蓋部
３Ｂ  前蓋部
４  前蓋開放保持手段
５  開放用係止凸部
６  開放用係合凸部
７  前蓋閉塞保持手段
８  閉塞用係止凸部
９  閉塞用係合凸部
10  軸受部
11  軸部
12  上蓋側非枢着部
13  前蓋側非枢着部
14  載置部
【図１】
2014094761.tif 000003
【図２】
2014094761.tif 000004
【図３】
2014094761.tif 000005
【図４】
2014094761.tif 000006
【図５】
2014094761.tif 000007
【図６】
2014094761.tif 000008
【図７】
2014094761.tif 000009
【図８】
2014094761.tif 000010
【図９】
2014094761.tif 000011
【図１０】
2014094761.tif 000012
【図１１】
2014094761.tif 000013
【図１２】
2014094761.tif 000014
【図１３】
2014094761.tif 000015
【図１４】
2014094761.tif 000016